(57)【特許請求の範囲】
【請求項１】
ディスク状の基板と、
前記基板上に形成され、記録面を有する記録層と、
を備え、
前記記録面は、
前記記録面の中心近傍に位置し、情報記録開始位置を情報記録装置に認識させるための所定の形状を有する第１凹部が形成された内周領域と、
前記記録面における前記内周領域よりも外縁側に位置するリードイン領域と、
前記記録面における前記リードイン領域よりも外縁側に位置し、ＣＳＳで暗号化されたデータが記録されるデータ記録領域と、
前記記録面における前記データ記録領域よりも外縁側に位置し、情報記録不能位置が接近していることまたは情報記録不能位置が到来したことを前記情報記録装置に認識させるための所定の形状を有する第２凹部が形成された外周領域と、
を有し、
前記リードイン領域及び前記データ記録領域には、ウォブルが形成されていない第１グルーブが形成され、
前記リードイン領域及び前記データ記録領域には、ランドプリピットが形成されていない
ことを特徴とする情報記録媒体。
【請求項２】
前記第１凹部は、
前記基板の中心を基準にして螺旋状または同心円状に形成され、ウォブルが形成されていない第２グルーブと、
前記第２グルーブ間に位置する複数のピットと、
を備えていることを特徴とする請求項１に記載の情報記録媒体。
【請求項３】
前記複数のピットの配列は、前記記録面上のアドレスを示すデータのビット配列に対応していることを特徴とする請求項２に記載の情報記録媒体。
【請求項４】
前記第１凹部は、前記基板の中心を基準にして螺旋状または同心円状に形成された第２グルーブを備え、
前記第２グルーブにはウォブルが形成されている
ことを特徴とする請求項１に記載の情報記録媒体。
【請求項５】
前記ウォブルの周波数、振幅または位相は、前記記録面上のアドレスを示すデータのビット配列に対応して変化していることを特徴とする請求項４に記載の情報記録媒体。
【請求項６】
前記第２凹部は、
前記基板の中心を基準にして螺旋状または同心円状に形成され、ウォブルが形成されていない第３グルーブと、
前記第３グルーブ間に位置する複数のピットと、
を備えていることを特徴とする請求項１に記載の情報記録媒体。
【請求項７】
前記第２凹部は、前記基板の中心を基準にして螺旋状または同心円状に形成された第３グルーブを備え、
前記第３グルーブにはウォブルが形成されている
ことを特徴とする請求項１に記載の情報記録媒体。
【請求項８】
前記データ記録領域は、前記記録面上において、前記基板の中心から前記基板の半径の２分の１離れた点を含んでいることを特徴とする請求項１に記載の情報記録媒体。
【請求項９】
前記リードイン領域の内周縁と前記記録層の内周縁との間の距離は0.4ｍｍ以上0.7ｍｍ以下であり、
前記データ記録領域の外周縁と前記記録層の外周縁との間の距離は0.3ｍｍ以上0.6ｍｍ以下である
ことを特徴とする請求項１に記載の情報記録媒体。
【請求項１０】
ディスク状の基板と、
前記基板上に形成され、第１記録面を有する第１記録層と、
前記第１記録層上に中間層を介して形成され、第２記録面を有する第２記録層と、
を備え、
前記第１記録面は、
前記第１記録面の中心近傍に位置し、前記第１記録面における情報記録開始位置を情報記録装置に認識させるための所定の形状を有する第１凹部が形成された第１内周領域と、
前記第１記録面における前記第１内周領域よりも外縁側に位置するリードイン領域と、
前記第１記録面における前記リードイン領域よりも外縁側に位置し、ＣＳＳで暗号化されたデータが記録される第１データ記録領域と、
前記第１記録面における前記第１データ記録領域よりも外縁側に位置し、前記第１記録層における情報記録不能位置が接近していることまたは情報記録不能位置が到来したことを前記情報記録装置に認識させるための所定の形状を有する第２凹部が形成された第１外周領域と、
を有し、
前記第２記録面は、
前記第２記録面の外縁近傍に位置し、前記第２記録面における情報記録開始位置を情報記録装置に認識させるための所定の形状を有する第３凹部が形成された第２外周領域と、
前記第２記録面における前記第２外周領域よりも中心側に位置し、ＣＳＳで暗号化されたデータが記録される第２データ記録領域と、
前記第２記録面における前記第２データ記録領域よりも中心側に位置し、前記第２記録層における情報記録不能位置が接近していることまたは情報記録不能位置が到来したことを前記情報記録装置に認識させるための所定の形状を有する第４凹部が形成された第２内周領域と、
を有し、
前記リードイン領域及び前記第１データ記録領域には、ウォブルが形成されていない第１グルーブが形成され、
前記第２データ記録領域には、ウォブルが形成されていない第２グルーブが形成され、
前記リードイン領域、前記第１データ記録領域及び前記第２データ記録領域には、ランドプリピットが形成されていない
ことを特徴とする情報記録媒体。
【請求項１１】
請求項１に記載の情報記録媒体の記録面に情報を記録する情報記録装置であって、
前記情報記録媒体から前記第１凹部を読み取り、当該読み取った第１凹部に基づいて前記情報記録開始位置を決定する記録開始位置決定手段と、
前記情報記録媒体の前記第１グルーブによる案内に従い、前記記録開始位置決定手段により決定された前記情報記録開始位置から前記リードイン領域に情報を記録し、続いて、前記データ記録領域にＣＳＳで暗号化されたデータを記録する記録手段と、
前記情報記録媒体から前記第２凹部を読み取り、当該読み取った第２凹部に基づいて前記情報記録不能位置が接近しているか否かまたは前記情報記録不能位置が到来したか否かを判断する記録不能判断手段と、
を備えていることを特徴とする情報記録装置。
【請求項１２】
前記記録手段は、
前記記録面に光ビームを照射する光ピックアップと、
前記光ピックアップを前記情報記録媒体の半径方向に移動させる移動機構と、
前記情報記録媒体を回転させる回転機構と、
前記情報記録媒体の半径方向における前記光ピックアップの位置を検出する位置検出手段と、
前記回転機構を制御し、前記位置検出手段により検出された前記光ピックアップの位置に基づいて前記情報記録媒体の回転速度を変化させる回転速度制御手段と、
を備えていることを特徴とする請求項１２に記載の情報記録装置。
【請求項１３】
請求項１に記載の情報記録媒体の記録面に情報を記録する情報記録方法であって、
前記情報記録媒体から前記第１凹部を読み取り、当該読み取った第１凹部に基づいて前記情報記録開始位置を決定する記録開始位置決定工程と、
前記情報記録媒体の前記第１グルーブによる案内に従い、前記記録開始位置決定工程において決定された前記情報記録開始位置から前記リードイン領域に情報を記録し、続いて、前記データ記録領域にＣＳＳで暗号化されたデータを記録する記録工程と、
前記情報記録媒体から前記第２凹部を読み取り、当該読み取った第２凹部に基づいて前記情報記録不能位置が接近しているか否かまたは前記情報記録不能位置が到来したか否かを判断する記録不能判断工程と、
を備えていることを特徴とする情報記録方法。
【請求項１４】
請求項１４に記載の情報記録方法をコンピュータに実行させるためのコンピュータプログラム。
【請求項１５】
情報記録装置の情報記録開始位置決定動作を制御し、前記情報記録装置による情報記録実行時における情報配列の道筋を案内し、かつ前記情報記録装置の情報記録終了動作を制御する制御構造体であって、
ディスク状の基板と、
前記基板上に形成され、記録面を有する記録層と、
を備え、
前記記録面は、
前記記録面の中心近傍に位置し、情報の記録開始位置を情報記録装置に認識させるための所定の形状を有する第１凹部が形成された内周領域と、
前記記録面における前記内周領域よりも外縁側に位置するリードイン領域と、
前記記録面における前記リードイン領域よりも外縁側に位置し、ＣＳＳで暗号化されたデータが記録されるデータ記録領域と、
前記記録面における前記データ記録領域よりも外縁側に位置し、情報の記録不能位置が接近していることまたは情報の記録不能位置が到来したことを前記情報記録装置に認識させるための所定の形状を有する第２凹部が形成された外周領域と、
を有し、
前記リードイン領域及び前記データ記録領域には、ウォブルが形成されていない第１グルーブが形成され、
前記リードイン領域及び前記データ記録領域には、ランドプリピットが形成されていない
ことを特徴とする制御構造体。
【発明の詳細な説明】
【技術分野】
【０００１】
本発明は、著作権保護などの目的で暗号化されたデータを記録するための情報記録媒体、情報記録装置および情報記録方法に関する。
【背景技術】
【０００２】
再生専用型ＤＶＤで採用されている暗号化方式としてＣＳＳ（Content Scrambling System）がある。また、記録可能型ＤＶＤで採用されている暗号化方式としてＣＰＲＭ（Content Protection for Recordable Media）がある。【０００３】
ＤＶＤに関する暗号化方式には、ＣＳＳがまず普及し、その後ＣＰＲＭが普及したという経緯がある。このような経緯などが影響して、旧型のプレーヤの中には、ＣＰＲＭで暗号化されたデータを再生することができないものがある。【０００４】
以下、ＣＰＲＭで暗号化されたデータを再生することができないプレーヤを「第１世代」プレーヤといい、ＣＰＲＭで暗号化されたデータを再生することができるプレーヤを「第２世代」プレーヤという。【０００５】
なお、多くのＤＶＤプレーヤ、とりわけ第２世代ＤＶＤプレーヤは、ＤＶＤに記録されたデータを再生する再生機能だけでなく、ＤＶＤにデータを記録する記録機能をも備えており、製品名も「ＤＶＤプレーヤ」ではなく「ＤＶＤレコーダ」である。しかし、ここでは、説明の便宜上、再生機能だけを備えた装置だけでなく、再生機能および記録機能の双方を備えた装置をも「プレーヤ」と呼ぶ。【０００６】
ところで、ＣＳＳで暗号化されたデータが記録された再生専用ディスクは、第１世代プレーヤでも第２世代プレーヤでも再生することができる。【０００７】
しかし、ＣＳＳで暗号化されたデータが記録された記録可能型ディスクは、第１世代プレーヤでは再生することができるものの、第２世代プレーヤでは再生することができない。【０００８】
すなわち、記録可能型ディスクで採用されている暗号化方式はＣＰＲＭであり、ＣＳＳではない。したがって、第２世代プレーヤは、ＣＳＳで暗号化されたデータが記録された記録可能型ディスクを異常なディスクと認識する。そして、第２世代プレーヤは、ＣＳＳで暗号化されたデータが記録された記録可能型ディスクを再生せずにイジェクトする。【０００９】
第２世代プレーヤは例えば次のような手順で、ＣＳＳで暗号化されたデータが記録された記録可能型ディスクを認識する。【００１０】
まず、第２世代プレーヤは、プレーヤに装着されたディスクが記録可能型ディスクであるか否かを判断する。多くの第２世代プレーヤは、ディスク上に存在するグルーブにウォブルが形成されているか否かを調べ、これにより記録可能型ディスクか否かを判断する。また、第２世代プレーヤの中には、ディスク上にＬＰＰ（ランドプリピット）が形成されているか否かを調べ、これにより記録可能型ディスクか否かを判断するものも存在する可能性がある。【００１１】
プレーヤに装着されたディスクが記録可能型ディスクであると判断されたとき、第２世代プレーヤは、次に、このディスクに記録されたデータがＣＳＳで暗号化されているか否かを判断する。そして、このディスクに記録されたデータがＣＳＳで暗号化されているときには、第２世代プレーヤは、このディスクを異常なディスクと認識する。
【発明の開示】
【発明が解決しようとする課題】
【００１２】
データをＣＳＳで暗号化して記録可能型ディスクに記録すること、または、ＣＳＳで暗号化されたデータが記録された記録可能型ディスクを配布または販売することを実現することができれば、例えば次のようなメリットを提供することができる。【００１３】
第１に、データをＣＳＳで暗号化することにより、著作権保護を図ることができる。第２に、記録可能型ディスクを用いることにより、スタンパーでデータを再生専用型ディスクに刻み込む場合と比べて、データの記録作業を格段に簡単化することができる。第３に、暗号化方式としてＣＳＳを用いることにより、すでに広く普及している第１世代プレーヤによりデータの再生が可能になる。【００１４】
しかし、上述したように、ＣＳＳで暗号化されたデータが記録された記録可能型ディスクは、第２世代プレーヤで再生することができない。【００１５】
本発明は上記に例示したような問題点に鑑みなされたものであり、本発明の第１の課題は、著作権保護を図ることができ、データの記録作業の簡単化を図ることができ、かつすでに広く普及しているプレーヤによりデータを再生することができる記録可能型情報記録媒体、情報記録装置、情報記録方法およびコンピュータプログラムを提供することにある。【００１６】
本発明の第２の課題は、ＣＳＳで暗号化されたデータを記録し、これを第２世代プレーヤで再生させることができる記録可能型体情報記録媒体、情報記録装置、情報記録方法およびコンピュータプログラムを提供することにある。
【課題を解決するための手段】
【００１７】
上記課題を解決するために請求項１に記載の情報記録媒体は、ディスク状の基板と、前記基板上に形成され、記録面を有する記録層と、を備え、前記記録面は、前記記録面の中心近傍に位置し、情報記録開始位置を情報記録装置に認識させるための所定の形状を有する第１凹部が形成された内周領域と、前記記録面における前記内周領域よりも外縁側に位置するリードイン領域と、前記記録面における前記リードイン領域よりも外縁側に位置し、ＣＳＳで暗号化されたデータが記録されるデータ記録領域と、前記記録面における前記データ記録領域よりも外縁側に位置し、情報記録不能位置が接近していることまたは情報記録不能位置が到来したことを前記情報記録装置に認識させるための所定の形状を有する第２凹部が形成された外周領域と、を有し、前記リードイン領域及び前記データ記録領域には、ウォブルが形成されていない第１グルーブが形成され、前記リードイン領域及び前記データ記録領域には、ランドプリピットが形成されていない。
【００１８】
上記課題を解決するために請求項１０に記載の情報記録媒体は、ディスク状の基板と、前記基板上に形成され、第１記録面を有する第１記録層と、前記第１記録層上に中間層を介して形成され、第２記録面を有する第２記録層と、を備え、前記第１記録面は、前記第１記録面の中心近傍に位置し、前記第１記録面における情報記録開始位置を情報記録装置に認識させるための所定の形状を有する第１凹部が形成された第１内周領域と、前記第１記録面における前記第１内周領域よりも外縁側に位置するリードイン領域と、前記第１記録面における前記リードイン領域よりも外縁側に位置し、ＣＳＳで暗号化されたデータが記録される第１データ記録領域と、前記第１記録面における前記第１データ記録領域よりも外縁側に位置し、前記第１記録層における情報記録不能位置が接近していることまたは情報記録不能位置が到来したことを前記情報記録装置に認識させるための所定の形状を有する第２凹部が形成された第１外周領域と、を有し、前記第２記録面は、前記第２記録面の外縁近傍に位置し、前記第２記録面における情報記録開始位置を情報記録装置に認識させるための所定の形状を有する第３凹部が形成された第２外周領域と、前記第２記録面における前記第２外周領域よりも中心側に位置し、ＣＳＳで暗号化されたデータが記録される第２データ記録領域と、前記第２記録面における前記第２データ記録領域よりも中心側に位置し、前記第２記録層における情報記録不能位置が接近していることまたは情報記録不能位置が到来したことを前記情報記録装置に認識させるための所定の形状を有する第４凹部が形成された第２内周領域と、を有し、前記リードイン領域及び前記第１データ記録領域には、ウォブルが形成されていない第１グルーブが形成され、前記第２データ記録領域には、ウォブルが形成されていない第２グルーブが形成され、前記リードイン領域、前記第１データ記録領域及び前記第２データ記録領域には、ランドプリピットが形成されていない。
【００１９】
上記課題を解決するために請求項１１に記載の情報記録装置は、請求項１に記載の情報記録媒体の記録面に情報を記録する情報記録装置であって、前記情報記録媒体から前記第１凹部を読み取り、当該読み取った第１凹部に基づいて前記情報記録開始位置を決定する記録開始位置決定手段と、前記情報記録媒体の前記第１グルーブによる案内に従い、前記記録開始位置決定手段により決定された前記情報記録開始位置から前記リードイン領域に情報を記録し、続いて、前記データ記録領域にＣＳＳで暗号化されたデータを記録する記録手段と、前記情報記録媒体から前記第２凹部を読み取り、当該読み取った第２凹部に基づいて前記情報記録不能位置が接近しているか否かまたは前記情報記録不能位置が到来したか否かを判断する記録不能判断手段と、を備えている。
【００２０】
上記課題を解決するために請求項１３に記載の情報記録方法は、請求項１に記載の情報記録媒体の記録面に情報を記録する情報記録方法であって、前記情報記録媒体から前記第１凹部を読み取り、当該読み取った第１凹部に基づいて前記情報記録開始位置を決定する記録開始位置決定工程と、前記情報記録媒体の前記第１グルーブによる案内に従い、前記記録開始位置決定工程において決定された前記情報記録開始位置から前記リードイン領域に情報を記録し、続いて、前記データ記録領域にＣＳＳで暗号化されたデータを記録する記録工程と、前記情報記録媒体から前記第２凹部を読み取り、当該読み取った第２凹部に基づいて前記情報記録不能位置が接近しているか否かまたは前記情報記録不能位置が到来したか否かを判断する記録不能判断工程と、を備えている。
【００２１】
上記課題を解決するために請求項１４に記載のコンピュータプログラムは、請求項１３に記載の情報記録方法をコンピュータに実行させる。
【００２２】
上記課題を解決するために請求項１５に記載の制御構造体は、情報記録装置の情報記録開始位置決定動作を制御し、前記情報記録装置による情報記録実行時における情報配列の道筋を案内し、かつ前記情報記録装置の情報記録終了動作を制御する制御構造体であって、ディスク状の基板と、前記基板上に形成され、記録面を有する記録層と、を備え、前記記録面は、前記記録面の中心近傍に位置し、情報の記録開始位置を情報記録装置に認識させるための所定の形状を有する第１凹部が形成された内周領域と、前記記録面における前記内周領域よりも外縁側に位置するリードイン領域と、前記記録面における前記リードイン領域よりも外縁側に位置し、ＣＳＳで暗号化されたデータが記録されるデータ記録領域と、前記記録面における前記データ記録領域よりも外縁側に位置し、情報の記録不能位置が接近していることまたは情報の記録不能位置が到来したことを前記情報記録装置に認識させるための所定の形状を有する第２凹部が形成された外周領域と、を有し、前記リードイン領域及び前記データ記録領域には、ウォブルが形成されていない第１グルーブが形成され、前記リードイン領域及び前記データ記録領域には、ランドプリピットが形成されていない。
【図面の簡単な説明】
【００２３】
【図１】本発明の情報記録媒体の実施形態である１層の記録ディスクおよび本発明の情報記録装置の実施形態であるレコーダを示す斜視図である。
【図２】図１中の記録ディスクの外観を示す斜視図である。
【図３】図２中の記録ディスクを示す断面図である。
【図４】図２中の記録ディスクの内周領域の一部（図２中の位置Ａ１）を示す斜視図である。
【図５】図２中の記録ディスクの外周領域の一部（図２中の位置Ａ２）を示す斜視図である。
【図６】図２中の記録ディスクの中間領域の一部（図２中の位置Ａ３）を示す斜視図である。
【図７】図２中の記録ディスクの物理的な構造と、データ記録に関する機能に基づいて記録面上に割り当てられた複数の領域との対応関係を示す説明図である。
【図８】図２中の記録ディスクの変形例を示す説明図である。
【図９】ウォブリンググルーブが形成された内周領域の一部を示す斜視図である。
【図１０】図２中の記録ディスクの他の変形例を示す説明図である。
【図１１】図２中の記録ディスクの別の変形例を示す説明図である。
【図１２】本発明の情報記録媒体の他の実施形態である２層の記録ディスクの外観を示す斜視図である。
【図１３】図１２中の記録ディスクを示す断面図である。
【図１４】図１２中の記録ディスクの物理的な構造と、データ記録に関する機能に基づいて各記録面に割り当てられた複数の領域との対応関係を示す説明図である。
【図１５】図１中のレコーダの内部構造を示すブロック図である。
【図１６】図１５中のレコーダによる１層記録ディスクに対するデータ記録の具体例を示す説明図である。
【図１７】図１５中のレコーダによる１層記録ディスクに対するデータ記録の他の具体例を示す説明図である。
【図１８】図１５中のレコーダによる２層記録ディスクに対するデータ記録の具体例を示す説明図である。
【図１９】図１５中のレコーダによる２層記録ディスクに対するデータ記録の他の具体例を示す説明図である。
【図２０】図１５中のレコーダにおける１層記録ディスクに対するデータ記録処理を示すフローチャートである。
【図２１】図１５中のレコーダにおける２層記録ディスクに対するデータ記録処理を示すフローチャートである。
【符号の説明】
【００２４】
１、６０  記録ディスク
２  レコーダ
１１、６１  基板
１２、６２、６４  記録層
１２Ａ、６２Ａ、６４Ａ  記録面
２１、７１、８２  内周領域
２２、７２、８１  外周領域
２３、７３、８３  中間領域
３１、３４、３７、７４、７６、７８、８４、８６、８８  グルーブ
３３、７５、８５  位置決定ピット
３６、７７、８７  オーバーラン防止ピット
４３、９３  リードイン領域
２０１  光ピックアップ
２０２  移動モータ
２０３  スピンドルモータ
２０６  アクチュエータ駆動制御回路
２０７  位置検出部
２０８  記録開始位置決定部
２０９  記録不能判断部
２１１  総合制御部
【発明を実施するための最良の形態】
【００２５】
以下、本発明の実施の形態について図面を参照しながら説明する。【００２６】
（１層記録ディスク）
図１は、記録ディスクおよびレコーダを示している。【００２７】
図１中の記録ディスク１は、本発明の情報記録媒体の実施形態である。また、記録ディスク１は、本発明の制御構造体の実施形態でもある。一方、レコーダ２は、本発明の情報記録装置の実施形態である。【００２８】
記録ディスク１は、記録可能型の記録ディスクである。記録ディスク１にはデータを１回記録することができる。記録ディスク１の記録層は１層である。記録ディスク１は、グルーブおよびＬＰＰに関する構造を除き、１層のＤＶＤ−Ｒとほぼ同様の構造を有する。【００２９】
記録ディスク１は次のようないくつかの機能を備えている。【００３０】
第１に、記録ディスク１は、データの記録ディスク１への記録を簡単に行うことができる機能を備えている。すなわち、記録ディスク１へのデータの記録は、ＤＶＤ−Ｒへのデータの記録とほぼ同様に、レコーダを用いて簡単に行うことができる。ＤＶＤ−ＲＯＭのようにスタンパーを用いてデータを刻み込む必要はない。【００３１】
第２に、記録ディスク１は、ＣＳＳにより暗号化されて記録ディスク１に記録されたデータを、第１世代プレーヤによっても第２世代プレーヤによっても再生することができるようにする機能を備えている。すなわち、仮に、ＣＳＳにより暗号化されたデータをＤＶＤ−Ｒに記録したとすると、このＤＶＤ−Ｒに記録されたデータを第２世代プレーヤにより再生することはできない。しかし、ＣＳＳにより暗号化されたデータを記録ディスク１に記録した場合には、この記録ディスク１に記録されたデータを第２世代プレーヤにより再生することが可能になる。【００３２】
他方、レコーダ２は、記録ディスク１および記録ディスク６０（図１２参照）にデータを記録するためのレコーダである。記録ディスク１および記録ディスク６０はグルーブおよびＬＰＰに関する構造がＤＶＤ−Ｒと異なる。このため、レコーダ２には、後述するように、ＤＶＤ−Ｒ用のレコーダと異なる部分がある。しかし、レコーダ２において、光ビームの波長、対物レンズのＮＡ、データを記録するための光ビームの変調方式などは、ＤＶＤ−Ｒ用のレコーダと同じである。【００３３】
図２は記録ディスク１の外観を示している。図３は記録ディスク１の断面を示している。図３中の記録ディスク１の断面は、図２中の記録ディスク１のＥＦ間における一部分の断面である。なお、図２および図３において、レコーダ２の光ビームは記録ディスク１の下側から上向きに照射される。【００３４】
図２に示すように、記録ディスク１の外形はディスク状であり、半径ＣＨは6ｃｍであり、厚さは1.2ｍｍである。【００３５】
図３に示すように、記録ディスク１は、基板１１、記録層１２、反射層１３および保護層１４を備えている。基板１１はディスク状である。基板１１上に形成された記録層１２は、有機色素材料から形成され、記録面１２Ａを有する。記録層１２の上側には反射層１３および保護層１４が積層されている。基板１１、記録層１２、反射層１３および保護層１４の材料、厚さおよび積層方法などはＤＶＤ−Ｒとほぼ同じである。【００３６】
図２に示すように、記録層１２は、記録ディスク１の半径ＣＨ方向において、位置Ｄから位置Ｇまでにわたって形成されている。そして、記録面１２Ａは、位置Ｄから位置Ｇまでにわたって拡がっている。【００３７】
記録面１２Ａは、内周領域２１、外周領域２２および中間領域２３に分かれている。すなわち、記録面１２Ａ（記録層１２）の内周縁である位置Ｄから記録面１２Ａ上の位置Ｅまでが内周領域２１である。位置Ｄと位置Ｅとの間の距離はおよそ0.5ｍｍである。また、記録面１２Ａ上の位置Ｆから記録面１２Ａ（記録層１２）の外周縁である位置Ｇまでが外周領域２２である。位置Ｆと位置Ｇとの間の距離はおよそ0.5ｍｍである。また、内周領域２１と外周領域２２との間が中間領域２３である。中間領域２３は、記録面１２Ａ上において、記録ディスク１（基板１１）の中心Ｃから記録ディスク１の半径の２分の１離れた点を含んでいる。【００３８】
図４は、内周領域２１の一部（図２中の位置Ａ１）における記録面１２Ａを示している。なお、図４において、レコーダ２の光ビームは記録ディスク１の上側から下向きに照射される。つまり、図４と図２とは上下が逆である。【００３９】
図４に示すように、内周領域２１において、記録面１２Ａ上には、グルーブ３１、ランド３２および複数の位置決定ピット３３が形成されている。【００４０】
グルーブ３１は、記録ディスク１（基板１１）の中心Ｃを基準にして螺旋状または同心円状に形成されている。また、グルーブ３１は、その内周端から外周端にかけてウォブルが形成されていない。すなわち、グルーブ３１は、記録ディスク１の半径方向に蛇行することなく形成されている。蛇行していない点に着目すると、グルーブ３１はいわばストレートグルーブである。グルーブ３１は、内周領域２１の全域にわたって形成されている。【００４１】
位置決定ピット３３は、グルーブ３１間のランド３２上に形成されている。位置決定ピット３３は例えば規則的な間隔で配列されている。位置決定ピット３３の配列は、記録面１２Ａ上のアドレスを示すデータのビット配列に対応している。【００４２】
位置決定ピット３３の配列方法として、ＤＶＤ−ＲにおけるＬＰＰの配列方法を用いることができる。位置決定ピット３３の配列方法として、ＤＶＤ−ＲにおけるＬＰＰの配列方法を用いた場合、位置決めピット３３は３つで１セットである。１セットの位置決めピット３３でアドレスやその他の情報などのデータの１ビットを表現する。内周領域２１には、１ないし数ＥＣＣブロックを構成する個数の位置決めピット３３を配列することが望ましい。なお、位置決めピット３３は３つで１セットであるが、１セットの位置決めピット３３の中に３つの位置決めピット３３が常に存在するのではない。１セットの位置決めピット３３で表現すべきアドレスデータに応じて、３つの位置決めピット３３のうち、第２番目の位置決めピット３３および第３番目の位置決めピット３３のいずれか一方または双方が存在しない場合もある。【００４３】
位置決め決定ピット３３の配列は、内周領域２１の全域にわたって形成してもよいし、内周領域２１の一部に形成してもよい。位置決め決定ピット３３の配列は、少なくとも、内周領域２１の最外周部分、すなわち中間領域２３の直前部分には形成することが望ましい。【００４４】
グルーブ３１および位置決定ピット３３は、データ記録開始位置をレコーダ２に認識させる機能を有する。具体的には、グルーブ３１は、内周領域２１内に照射された光ビームをトラック上に案内する。位置決定ピット３３は、記録面１２Ａ上のアドレスをレコーダ２に認識させる。すなわち、レコーダ２は、グルーブ３１の案内に従って光ビームを照射し、位置決めピット３３を読み取り、これにより記録面１２上のアドレスを認識する。そして、レコーダ２は、このアドレスに基づいてデータ記録開始位置を決定する。データ記録開始位置は、例えば中間領域２３の内周端位置である。【００４５】
また、位置決め決定ピット３３の配列を中間領域２３の直前部分に形成することにより、データ記録開始位置をレコーダ２に正確に認識させることができる。すなわち、位置決め決定ピット３３の配列を中間領域２３の直前に形成することにより、この位置決め決定ピット３３の配列の末尾に配置された１セットの位置決め決定ピット３３と中間領域２３の内周端位置と間の距離が短くなる。これにより、レコーダ２は、この１セットの位置決め決定ピット３３に基づいて、中間領域２３の内周端位置、つまりデータ記録開始位置を正確に認識することが可能になり、データを記録するための光ビームの照射開始位置をデータ記録開始位置に正確に一致させることが可能になる。【００４６】
図５は、外周領域２２の一部（図２中の位置Ａ２）における記録面１２Ａを示している。なお、図５において、レコーダ２の光ビームは記録ディスク１の上側から下向きに照射される。【００４７】
図５に示すように、外周領域２２において、記録面１２Ａ上には、グルーブ３４、ランド３５およびオーバーラン防止ピット３６が形成されている。【００４８】
グルーブ３４は、記録ディスク１（基板１１）の中心Ｃを基準にして螺旋状または同心円状に形成されている。また、グルーブ３４は、その内周端から外周端にかけてウォブルが形成されていない。すなわち、グルーブ３４は、記録ディスク１の半径方向に蛇行することなく形成されている。蛇行していない点に着目すると、グルーブ３４はいわばストレートグルーブである。グルーブ３４は、外周領域２２の全域にわたって形成されている。【００４９】
オーバーラン防止ピット３６は、グルーブ３４間のランド３５上に形成されている。オーバーラン防止ピット３６は例えば規則的な間隔で配列されている。オーバーラン防止ピット３６の配列は、記録面１２Ａ上のアドレスを示すデータのビット配列に対応している。【００５０】
オーバーラン防止ピット３６の配列方法として、ＤＶＤ−ＲにおけるＬＰＰの配列方法を用いることができる。外周領域２２には、１ないし数ＥＣＣブロックを構成する個数のオーバーラン防止ピット３６を配列することが望ましい。【００５１】
オーバーラン防止ピット３６の配列は、外周領域２２の全域にわたって形成してもよいし、外周領域２２の一部に形成してもよい。オーバーラン防止ピット３６の配列は、少なくとも、外周領域２２の最内周部分、すなわち中間領域２３の直後部分には形成することが望ましい。【００５２】
グルーブ３４およびオーバーラン防止ピット３６は、データ記録不能位置が接近していることをレコーダ２に認識させる機能を有する。具体的には、グルーブ３４は、外周領域２２内に照射された光ビームをトラック上に案内する。オーバーラン防止ピット３６は、記録面１２Ａ上のアドレスをレコーダ２に認識させる。すなわち、レコーダ２は、グルーブ３４の案内に従って光ビームを照射し、オーバーラン防止ピット３６を読み取り、これにより記録面１２上のアドレスを認識する。そして、レコーダ２は、このアドレスに基づいてデータ記録不能位置が接近していることを認識する。データ記録不能位置とは、例えば、記録面１２Ａ（記録層１２）よりも外周側の位置である。図２によれば、データ記録不能位置は、位置Ｇよりも外周側の位置である。【００５３】
また、オーバーラン防止ピット３６の配列を中間領域２３の直後部分に形成することにより、データ記録不能位置の接近をレコーダ２に早期に認識させることができる。これにより、レコーダ２は、残りのデータのすべてを記録面１２Ａの残りの領域に記録することができるか否かの判断などを、余裕をもって行うことが可能になる。【００５４】
図６は、中間領域２３の一部（図２中の位置Ａ３）における記録面１２Ａを示している。なお、図６において、レコーダ２の光ビームは記録ディスク１の上側から下向きに照射される。【００５５】
図６に示すように、中間領域２３において、記録面１２Ａ上には、グルーブ３７およびランド３８が形成されている。【００５６】
グルーブ３７は、記録ディスク１（基板１１）の中心Ｃを基準にして螺旋状または同心円状に形成することが望ましい。また、グルーブ３７は、その内周端から外周端にかけてウォブルが形成されていない。すなわち、グルーブ３７は、記録ディスク１の半径方向に蛇行することなく形成されている。蛇行していない点に着目すると、グルーブ３７はいわばストレートグルーブである。グルーブ３７は中間領域２３の全域にわたって形成されている。グルーブ３７間にはランド３８が形成されている。【００５７】
グルーブ３７の内周端は、内周領域２１内のグルーブ３１と接続されている。グルーブ３７の外周端は、外周領域２２内のグルーブ３４と接続されている。グルーブ３１、グルーブ３７およびグルーブ３４は連続的に形成されている。【００５８】
グルーブ３７は、レコーダ２がデータの記録を行うときにデータを配列すべき道筋を案内する機能を有する。すなわち、レコーダ２は、グルーブ３７の案内に従って光ビームを照射し、データをグルーブ３７上に記録する。【００５９】
なお、グルーブ３１、グルーブ３７およびグルーブ３４により記録面１２Ａ上にトラックが形作られる。トラックピッチはＤＶＤ−Ｒのトラックピッチと同じであり、0.74μｍである。【００６０】
図７は、図２ないし図６に示す記録ディスク１の物理的な構造と、データ記録に関する機能に基づいて記録面１２Ａ上に割り当てられた複数の領域との対応関係を示している。【００６１】
図７に示すように、記録面１２Ａには、データ記録に関する機能に基づいて、複数の領域が割り当てられている。すなわち、記録面１２Ａには、ＩＤＴＡ（Inner Disc Testing Area）４１、ＲＭＡ（Recording Management Area）４２、リードイン領域４３、データ記録領域４４、初期リードアウト領域４５およびＯＤＴＡ（Outer Disc Testing Area）４６が割り当てられている。ＩＤＴＡ４１、ＲＭＡ４２、リードイン領域４３、データ記録領域４４、初期リードアウト領域４５およびＯＤＴＡ４６は、記録面１２Ａの内周側から外周側に向けて、この順序で連続的に配列されている。【００６２】
ＩＤＴＡ４１は、記録ディスク１の内周側において光ビームの強度を調整するために用いられる領域である。ＲＭＡ４２は、データの記録を管理するために用いられる領域である。リードイン領域４３は、データ記録領域４４に記録されたデータに関する管理情報ないし制御情報などを記録するための領域である。データ記録領域４４は、映像データや音声データなどを記録するための領域である。初期リードアウト領域４５は、データ記録領域４４の外側であることを示す情報などを記録するための領域である。ＯＤＴＡ４６は、記録ディスク１の外周側において光ビームの強度を調整するために用いられる領域である。【００６３】
なお、後述するレコーダ２のデータ記録方法によると、記録ディスク１に記録するデータのサイズに応じてリードアウト領域が移動する。すなわち、記録ディスク１に記録するデータのサイズが、リードイン領域４３のサイズとデータ記録領域４４のサイズとの合計よりも小さいときには、初期リードアウト領域４５よりも内周側に新たなリードアウト領域が形成される。一方、記録ディスク１に記録するデータのサイズが、リードイン領域４３のサイズとデータ記録領域４４のサイズとの合計よりも大きいときには、初期リードアウト領域４５よりも外周側に新たなリードアウト領域が形成される。初期リードアウト領域４５とは、記録ディスク１のリードイン領域４３およびデータ記録領域４４にデータが実際に記録される前の段階で、暫定的に決められたリードアウト領域である。【００６４】
ＩＤＴＡ４１、ＲＭＡ４２、リードイン領域４３、データ記録領域４４、初期リードアウト領域４５およびＯＤＴＡ４６のそれぞれのＥＣＣブロックアドレスは、１層のＤＶＤ−Ｒの規格に従って次のように決められている。【００６５】
ＩＤＴＡ４１の先頭アドレス：FFE17Fh (01E800h)
リードイン領域４３の先頭アドレス：FFDD05h (022FA0h)
データ記録領域４４の先頭アドレス：FFCFFFh (030000h)
初期リードアウト領域４５の先頭アドレス：FD9ED7h(261280h)
ＯＤＴＡ４６の末尾アドレス：FD9325h(26CDAFh)
なお、アドレスの数値は１６進数であり、かっこ内の数値は物理セクタ番号である。【００６６】
内周領域２１は、ＩＤＴＡ４１およびＲＭＡ４２と対応している。すなわち、内周領域２１の内周端はＩＤＴＡ４１の先頭位置と一致しており、内周領域２１の外周端はＲＭＡ４２の末尾位置と一致している。これにより、内周領域２１のサイズは、ＥＣＣブロックアドレスを用いて計算すると47Ahとなり、物理セクタ番号を用いて計算すると47A0hとなる。【００６７】
また、グルーブ３１は、ＩＤＴＡ４１およびＲＭＡ４２内の全域にわたって配置される。また、位置決定ピット３３の配列は、ＩＤＴＡ４１およびＲＭＡ４２のいずれか一方または双方に配置される。また、内周領域２１の最外周部分に形成された位置決定ピット３３の配列は、リードイン領域４３の直前部分に配置される。【００６８】
外周領域２２は、初期リードアウト領域４５およびＯＤＴＡ４６と対応している。すなわち、外周領域２２の内周端は初期リードアウト領域４５の先頭位置と一致しており、外周領域２２の外周端はＯＤＴＡ４６の末尾位置と一致している。これにより、外周領域２２のサイズは、ＥＣＣブロックアドレスを用いて計算するとBB3hとなり、物理セクタ番号を用いて計算するとBB30hとなる。【００６９】
また、グルーブ３４は、初期リードアウト領域４５およびＯＤＴＡ４６内の全域にわたって配置される。また、オーバーラン防止ピット３６の配列は、初期リードアウト領域４５およびＯＤＴＡ４６のいずれか一方または双方に配置される。また、外周領域２２の最内周部分に形成されたオーバーラン防止ピット３６の配列は、データ記録領域４４の直後部分に配置される。【００７０】
中間領域２３は、リードイン領域４３およびデータ記録領域４４と対応している。すなわち、中間領域２３の内周端はリードイン領域４３の先頭位置と一致しており、中間領域２３の外周端はデータ記録領域４４の末尾位置と一致している。そして、データ記録開始位置は、中間領域２３の内周端であり、これはリードイン領域４３の先頭位置と一致している。また、グルーブ３７は、リードイン領域４３およびデータ記録領域４４内の全域にわたって配置される。すなわち、リードイン領域４３およびデータ記録領域４４内に形成されたグルーブはすべてストレートグルーブである。【００７１】
以上説明したとおり、記録ディスク１は、有機色素材料から形成された記録層１２を有する記録可能型ディスクである。したがって、レコーダ２を用いてデータを記録ディスク１に簡単に記録することができる。すなわち、ＤＶＤ−ＲＯＭのようにデータの記録にスタンパーを用いる必要がない。また、レコーダ２を用いてデータを記録ディスク１に簡単に記録することができるので、記録ディスク１へのデータの記録作業にかかる費用を少なくでき、かつ作業時間を短くすることができる。これにより、特定のコンテンツデータを記録ディスク１に記録したコンテンツ商品の少量生産を効率よく実現することができる。【００７２】
また、記録ディスク１では、リードイン領域４３の先頭からデータ記録領域４４の末尾にわたってストレートグルーブ３７が形成されている。これにより、ＣＳＳにより暗号化されたデータを記録ディスク１に記録しても、この記録ディスク１に記録されたデータを第１世代プレーヤだけでなく、第２世代プレーヤでも再生することが可能になる。【００７３】
すなわち、第２世代プレーヤは、一般に、ＣＳＳで暗号化されたデータが記録された記録可能型ディスクを異常なディスクと認識し、このようなデータが記録された記録可能型ディスクを再生せずにイジェクトする。多くの第２世代プレーヤは、記録ディスクのリードイン領域の先頭からデータ記録領域の末尾までの間に存在するグルーブにウォブルが形成されているか否かを調べ、これにより記録可能型ディスクか否かを判断する。また、第２世代プレーヤの中には、記録ディスクのリードイン領域の先頭からデータ記録領域の末尾までの間にＬＰＰが形成されているか否かを調べ、これにより記録可能型ディスクか否かを判断するものも存在する可能性がある。【００７４】
ところが、記録ディスク１のリードイン領域４３の先頭からデータ記録領域４４の末尾までの間に存在するグルーブ３７にはその内周端から外周端にわたってウォブルが形成されていない。また、記録ディスク１のリードイン領域４３の先頭からデータ記録領域４４の末尾までの間にはＬＰＰが形成されていない。このため、第２世代プレーヤは、記録ディスク１を再生専用型ディスク（例えばＤＶＤ−ＲＯＭ）と判断する。ＣＳＳにより暗号化されたデータが記録された再生専用型ディスクは異常なディスクではない。したがって、第２世代プレーヤは、記録ディスク１を正常なディスクを判断し、記録ディスク１に記録されたデータの再生を許可する。【００７５】
したがって、特定のコンテンツデータを記録ディスク１に記録したコンテンツ商品を、第１世代プレーヤのユーザだけでなく、第２世代プレーヤのユーザに向けても販売することができ、当該コンテンツ商品の売上げを高めることができる。また、記録ディスク１に記録されたコンテンツデータはＣＳＳで暗号化されているので、著作権保護を図ることができる。【００７６】
また、記録ディスク１の内周領域２１には、位置決めピット３３が形成されている。これら位置決定ピット３３によりデータ記録開始位置をレコーダ２に認識させることができる。【００７７】
すなわち、記録ディスク１のリードイン領域４３およびデータ記録領域４４には、ウォブルもＬＰＰも形成されていない。このため、レコーダ２は、リードイン領域４３およびデータ記録領域４４から、アドレスデータなど記録位置に関する情報を得ることができない。このような状態でも、レコーダ２のデータ記録方式としてディスクアットワンス（Disc At Once）方式を採用し、かつレコーダ２においてデータ記録開始位置を決定することができれば、データの記録処理を行うことができる。レコーダ２は、記録ディスク１の内周領域２１に形成された位置決定ピット３３を読み取ることにより、データ記録開始位置を決定することができ、それゆえディスクアットワンス方式によりデータの記録ディスク１への記録処理を行うことができる。【００７８】
また、記録ディスク１の外周領域２２には、オーバーラン防止ピット３６が形成されている。これらオーバーラン防止ピット３６によりデータ記録不能位置の接近をレコーダ２に認識させることができる。【００７９】
すなわち、記録ディスク１のリードイン領域４３およびデータ記録領域４４には、ウォブルもＬＰＰも形成されていない。このため、レコーダ２は、リードイン領域４３およびデータ記録領域４４から、アドレスデータなど記録位置に関する情報を得ることができない。このような状態でも、レコーダ２は、オーバーラン防止ピット３６を読み取ることにより、データ記録不能位置が接近していることを認識することができる。これにより、レコーダ２の光ビームがオーバーランをし、データ記録不能位置でレコーダ２がデータ記録処理を行ってしまうことを防止することができる。【００８０】
（１層記録ディスクの変形例）
図８は、内周領域２１のストレートグルーブ３１および位置決定ピット３３をウォブリンググルーブ５１に置き換え、かつ、外周領域２２のストレートグルーブ３４とオーバーラン防止ピット３６をウォブリンググルーブ５２に置き換えた他の実施形態を示している。【００８１】
図８に示すように、内周領域２１には、ストレートグルーブ３１および位置決定ピット３３を形成するのではなく、ウォブリンググルーブ５１を形成してもよい。ウォブリンググルーブ５１は、記録ディスク１（基板１１）の中心Ｃを基準にして螺旋状または同心円状に形成されている。ウォブリンググルーブ５１は内周領域２１の全域にわたって形成されている。【００８２】
ウォブリンググルーブ５１には、図９に示すように、ウォブル５１Ａが形成されている。ウォブル５１Ａは記録ディスク１（基板１１）の半径方向において所定の振幅を有し、グルーブ５１に沿って記録ディスク１の周方向（書き込み方向または読み取り方向）に形成されている。つまり、ウォブリンググルーブ５１は、記録ディスク１（基板１１）の半径方向に蛇行している。ウォブル５１Ａはウォブリンググルーブ５１の内周端から外周端にかけて形成することが望ましい。【００８３】
ウォブル５１Ａの周波数、振幅または位相は規則的に変化し、ウォブル５１Ａの周波数、振幅または位相の変化は記録面１２Ａ上のアドレスを示すデータのビット配列に対応している。ウォブル５１Ａの形成方法として、ＤＶＤ＋Ｒのウォブルの形成方法（Address In Pre-groove）を用いることができる。【００８４】
ウォブリンググルーブ５１によっても、データ記録開始位置をレコーダ２に認識させることができる。【００８５】
また、外周領域２２には、ストレートグルーブ３４およびオーバーラン防止ピット３６を形成するのではなく、ウォブリンググルーブ５２を形成してもよい。ウォブリンググルーブ５２は、記録ディスク１（基板１１）の中心Ｃを基準にして螺旋状または同心円状に形成されている。ウォブリンググルーブ５２は外周領域２２の全域にわたって形成されている。【００８６】
ウォブリンググルーブ５２にはウォブル５２Ａが形成されている。ウォブル５２Ａは記録ディスク１（基板１１）の半径方向において所定の振幅を有し、グルーブ５２に沿って記録ディスク１の周方向（書き込み方向または読み取り方向）に形成されている。つまり、ウォブリンググルーブ５２は、記録ディスク１（基板１１）の半径方向に蛇行している。ウォブル５２Ａはウォブリンググルーブ５２の内周端から外周端にかけて形成することが望ましい。【００８７】
ウォブル５２Ａの周波数、振幅または位相は規則的に変化し、ウォブル５２Ａの周波数、振幅または位相の変化は記録面１２Ａ上のアドレスを示すデータのビット配列に対応している。ウォブル５２Ａの形成方法として、ＤＶＤ＋Ｒのウォブルの形成方法（Address In Pre-groove）を用いることができる。【００８８】
ウォブリンググルーブ５２によっても、データ記録不能位置が接近していることをレコーダ２に認識させることができる。【００８９】
図１０は、内周領域２１のストレートグルーブ３１だけをウォブリンググルーブ５５に置き換え、かつ、外周領域２２のストレートグルーブ３４だけをウォブリンググルーブ５６に置き換えた他の実施形態を示している。【００９０】
図１０に示すように、内周領域２１には、ストレートグルーブ３１を形成するのではなく、ウォブリンググルーブ５５を形成し、ウォブリンググルーブ５５間のランド上に位置決めピット３３を形成してもよい。位置決めピット３３は、記録面１２Ａ上のアドレスを示すデータのビット配列に対応するように配列する。一方、ウォブリンググルーブ５５に形成されたウォブル５５Ａの周期は一定にする。【００９１】
ウォブリンググルーブ５５および位置決めピット３３によっても、データ記録開始位置をレコーダ２に認識させることができる。特に、一定周期で蛇行するウォブル５５Ａにより、位置決めピット３３をレコーダ２に正確に読み取らせることができ、データ記録開始位置をレコーダ２に高精度に認識させることができる。【００９２】
また、外周領域２２には、ストレートグルーブ３４を形成するのではなく、ウォブリンググルーブ５６を形成し、ウォブリンググルーブ５６間のランド上にオーバーラン防止ピット３６を形成してもよい。オーバーラン防止ピット３６は、記録面１２Ａ上のアドレスを示すデータのビット配列に対応するように配列する。一方、ウォブリンググルーブ５６に形成されたウォブル５６Ａの周期は一定にする。【００９３】
ウォブリンググルーブ５６およびオーバーラン防止ピット３６によっても、データ記録不能位置の接近をレコーダ２に認識させることができる。特に、一定周期で蛇行するウォブル５６Ａにより、オーバーラン防止ピット３６をレコーダ２に正確に読み取らせることができ、データ記録不能位置の接近をレコーダ２に確実に認識させることができる。【００９４】
図１１は、外周領域２２のストレートグルーブ３４およびオーバーラン防止ピット３６だけを、ウォブル５２Ａを有するウォブリンググルーブ５２に置き換えた他の実施形態を示している。図１１に示すような構成でも、データ記録開始位置をレコーダ２に認識させることができ、かつ、データ記録不能位置の接近をレコーダ２に認識させることができる。【００９５】
（２層記録ディスク）
図１２は２層の記録ディスクの外観を示している。図１３は図１２中の記録ディスク６０の断面を示している。図１４は、記録ディスク６０の物理的な構造と、データ記録に関する機能に基づいて記録面６２Ａおよび記録面６４Ａ上に割り当てられた複数の領域との対応関係を示している。図１３中の記録ディスク６０の断面は、図１２中の記録ディスク６０のＱＲ間における一部分の断面である。なお、図１２および図１３において、レコーダ２の光ビームは記録ディスク６０の下側から上向きに照射される。【００９６】
記録ディスク６０は、本発明の情報記録媒体の他の実施形態である。また、記録ディスク６０は、本発明の制御構造体の他の実施形態でもある。記録ディスク６０の記録層は２層である。記録ディスク６０は、グルーブおよびＬＰＰに関する構造を除き、２層のＤＶＤ−Ｒとほぼ同様の構造を有する。【００９７】
記録ディスク６０は、図２中の記録ディスク１と同様に、データの記録ディスク６０への記録を簡単に行うことができる機能、およびＣＳＳにより暗号化されて記録ディスク６０に記録されたデータを、第１世代プレーヤによっても第２世代プレーヤによっても再生することができるようにする機能を備えている。【００９８】
図１３に示すように、記録ディスク６０は、基板６１、第１記録層６２、半透過層６７、中間層６３、第２記録層６４、反射層６５および保護層６６を備えている。基板６１はディスク状である。基板６１上に形成された第１記録層６２は、有機色素材料から形成され、記録面６２Ａを有する。第１記録層６２上に半透過層６７および中間層６３を介して形成された第２記録層６４は、有機色素材料から形成され、記録面６４Ａを有する。第２記録層６４の上側には反射層６５および保護層６６が積層されている。基板６１、第１記録層６２、半透過層６７、中間層６３、第２記録層６４、反射層６５および保護層６６の材料、厚さおよび積層方法などは２層のＤＶＤ−Ｒとほぼ同じである。【００９９】
図１２に示すように、記録層６２、６４はそれぞれ、記録ディスク６０の半径ＯＵ方向において、位置Ｐから位置Ｔまでにわたって形成されている。そして、記録面６２Ａ、６４Ａはそれぞれ、位置Ｐから位置Ｔまでにわたって拡がっている。【０１００】
第１記録層６２の記録面６２Ａは、内周領域７１、外周領域７２および中間領域７３に分かれている。すなわち、記録面６２Ａ（第１記録層６２）の内周縁である位置Ｐから記録面６２Ａ上の位置Ｑまでが内周領域７１である。位置Ｐと位置Ｑとの間の距離はおよそ0.58ｍｍである。また、記録面６２Ａ上の位置Ｒから記録面６２Ａ（第１記録層６２）の外周縁である位置Ｔまでが外周領域７２である。位置Ｒと位置Ｔとの間の距離はおよそ0.4ｍｍである。また、内周領域７１と外周領域７２との間が中間領域７３である。中間領域７３は、記録面６２Ａ上において、記録ディスク６０（基板６１）の中心Ｃから記録ディスク６０の半径の２分の１離れた点を含んでいる。【０１０１】
図１４に示すように、内周領域７１において、記録面６２Ａ上には、グルーブ７４、ランドおよび複数の位置決定ピット７５が形成されている。グルーブ７４、ランドおよび位置決定ピット７５の物理的な構造は、図４中のグルーブ３１、ランド３２および位置決定ピット３３の物理的な構造とほぼ同じである。位置決定ピット７５の配列は、記録面６２Ａ上のアドレスを示すデータのビット配列に対応している。【０１０２】
また、外周領域７２において、記録面６２Ａ上には、グルーブ７６、ランドおよび複数のオーバーラン防止ピット７７が形成されている。グルーブ７６、ランドおよびオーバーラン防止ピット７７の物理的な構造は、図５中のグルーブ３４、ランド３５およびオーバーラン防止ピット３６の物理的な構造とほぼ同じである。オーバーラン防止ピット７７の配列は、記録面６２Ａ上のアドレスを示すデータのビット配列に対応している。【０１０３】
また、中間領域７３において、記録面６２Ａ上には、グルーブ７８およびランド７９（図１３参照）が形成されている。グルーブ７８およびランド７９の物理的な構造は、図６中のグルーブ３７およびランド３８の物理的な構造とほぼ同じである。【０１０４】
一方、図１２に示すように、第２記録層６４の記録面６４Ａは、外周領域８１、内周領域８２および中間領域８３に分かれている。すなわち、記録面６４Ａ（記録層６４）の外周縁である位置Ｔから記録面６４Ａ上の位置Ｓまでが外周領域８１である。位置Ｔと位置Ｓとの間の距離はおよそ0.2ｍｍである。また、記録面６４Ａ上の位置Ｑから記録面６４Ａ（記録層６４）の内周縁である位置Ｐまでが内周領域８２である。位置Ｑと位置Ｐとの間の距離はおよそ0.58ｍｍである。また、外周領域８１と内周領域８２との間が中間領域８３である。中間領域８３は、記録面６４Ａ上において、記録ディスク６０（基板６１）の中心Ｃから記録ディスク６０の半径の２分の１離れた点を含んでいる。【０１０５】
図１４に示すように、外周領域８１において、記録面６４Ａ上には、グルーブ８４、ランドおよび複数の位置決定ピット８５が形成されている。グルーブ８４、ランドおよび位置決定ピット８５の物理的な構造は、図４中のグルーブ３１、ランド３２および位置決定ピット３３の物理的な構造とほぼ同じである。位置決定ピット８５の配列は、記録面６４Ａ上のアドレスを示すデータのビット配列に対応している。【０１０６】
また、内周領域８２において、記録面６４Ａ上には、グルーブ８６、ランドおよび複数のオーバーラン防止ピット８７が形成されている。グルーブ８６、ランドおよびオーバーラン防止ピット８７の物理的な構造は、図５中のグルーブ３４、ランド３５およびオーバーラン防止ピット３６の物理的な構造とほぼ同じである。オーバーラン防止ピット８７の配列は、記録面６４Ａ上のアドレスを示すデータのビット配列に対応している。【０１０７】
また、中間領域８３において、記録面６４Ａ上には、グルーブ８８およびランド８９（図１３参照）が形成されている。グルーブ８８およびランド８９の物理的な構造は、図６中のグルーブ３７およびランド３８の物理的な構造とほぼ同じである。【０１０８】
図１４に示すように、第１記録層６２（Ｌ０：レイヤー０）の記録面６２Ａには、データ記録に関する機能に基づいて、複数の領域が割り当てられている。すなわち、記録面６２Ａには、ＩＤＴＡ９１、ＲＭＡ９２、リードイン領域９３、データ記録領域９４、初期ミドル領域９５およびＯＤＴＡ９６が割り当てられている。ＩＤＴＡ９１、ＲＭＡ９２、リードイン領域９３、データ記録領域９４、初期ミドル領域９５およびＯＤＴＡ９６は、記録面６２Ａの内周側から外周側に向けて、この順序で連続的に配列されている。初期ミドル領域９５とは、リードイン領域９３およびデータ記録領域９４にデータが実際に記録される前の段階で、暫定的に決められたミドル領域である。【０１０９】
ＩＤＴＡ９１、ＲＭＡ９２、リードイン領域９３、データ記録領域９４、初期ミドル領域９５およびＯＤＴＡ９６のそれぞれのＥＣＣブロックアドレスは、２層のＤＶＤ−Ｒの規格に従って次のように決められている。【０１１０】
ＩＤＴＡ９１の先頭アドレス：FFE077h (01F880h)
リードイン領域９３の先頭アドレス：FFDBBBh (024440h)
データ記録領域９４の先頭アドレス：FFCFFFh (030000h)
初期ミドル領域９５の先頭アドレス：FDD109h(22EF60h)
ＯＤＴＡ９６の末尾アドレス：FDC887h(23778Fh)
なお、アドレスの数値は１６進数であり、かっこ内の数値は物理セクタ番号である。【０１１１】
内周領域７１は、ＩＤＴＡ９１およびＲＭＡ９２と対応している。すなわち、内周領域７１の内周端はＩＤＴＡ９１の先頭位置と一致しており、内周領域７１の外周端はＲＭＡ９２の末尾位置と一致している。内周領域７１のサイズは、ＥＣＣブロックアドレスを用いて計算すると4BChとなり、物理セクタ番号を用いて計算すると4BC0hとなる。【０１１２】
また、グルーブ７４は、ＩＤＴＡ９１およびＲＭＡ９２内の全域にわたって配置される。また、位置決定ピット７５の配列は、ＩＤＴＡ９１およびＲＭＡ９２のいずれか一方または双方に配置される。また、内周領域７１の最外周部分に形成された位置決定ピット７５の配列は、リードイン領域９３の直前部分に配置される。【０１１３】
外周領域７２は、初期ミドル領域９５およびＯＤＴＡ９６と対応している。すなわち、外周領域７２の内周端は初期ミドル領域９５の先頭位置と一致しており、外周領域７２の外周端はＯＤＴＡ９６の末尾位置と一致している。外周領域７２のサイズは、ＥＣＣブロックアドレスを用いて計算すると883hとなり、物理セクタ番号を用いて計算すると8830hとなる。【０１１４】
また、グルーブ７６は、初期ミドル領域９５およびＯＤＴＡ９６内の全域にわたって配置される。また、オーバーラン防止ピット７７の配列は、初期ミドル領域９５およびＯＤＴＡ９６のいずれか一方または双方に配置される。また、外周領域７２の最内周部分に形成されたオーバーラン防止ピット７７の配列は、データ記録領域９４の直後部分に配置される。【０１１５】
中間領域７３は、リードイン領域９３およびデータ記録領域９４と対応している。すなわち、中間領域７３の内周端はリードイン領域９３の先頭位置と一致しており、中間領域７３の外周端はデータ記録領域９４の末尾位置と一致している。そして、第１記録層６２の記録面６２Ａにおけるデータ記録開始位置は、中間領域７３の内周端であり、これはリードイン領域９３の先頭位置と一致している。また、グルーブ７８は、リードイン領域９３およびデータ記録領域９４内の全域にわたって配置される。すなわち、リードイン領域９３およびデータ記録領域９４内に形成されたグルーブはすべてストレートグルーブである。【０１１６】
一方、第２記録層６４（Ｌ１：レイヤー１）の記録面６４Ａには、ＯＤＴＡ１０１、初期ミドル領域１０２、データ記録領域１０３、初期リードアウト領域１０４、ＲＭＡ１０５およびＩＤＴＡ１０６が割り当てられている。ＯＤＴＡ１０１、初期ミドル領域１０２、データ記録領域１０３、初期リードアウト領域１０４、ＲＭＡ１０５およびＩＤＴＡ１０６は、記録面６４Ａの外周側から内周側に向けて、この順序で連続的に配列されている。初期ミドル領域１０２とは、データ記録領域１０３にデータが実際に記録される前の段階で、暫定的に決められたミドル領域である。初期リードアウト領域１０４とは、データ記録領域１０３にデータが実際に記録される前の段階で、暫定的に決められたリードアウト領域である。【０１１７】
ＯＤＴＡ１０１、初期ミドル領域１０２、データ記録領域１０３、初期リードアウト領域１０４、ＲＭＡ１０５およびＩＤＴＡ１０６のそれぞれのＥＣＣブロックアドレスは、２層のＤＶＤ−Ｒの規格に従って次のように決められている。なお、第１記録層６２の記録面６２Ａに対しては、記録ディスク６０の内周側から外周側に向けてデータが記録されるのに対し、第２記録層６４の記録面６４Ａに対しては、記録ディスク６０の外周側から内周側に向けてデータが記録される。このことを考慮し、第２記録層６４の記録面６４Ａにおける各領域の先頭は、当該領域の最外周端であり、記録面６４Ａにおける各領域の末尾は、当該領域の最内周端であるとする。【０１１８】
ＯＤＴＡ１０１の先頭アドレス：0239B6h (DC6490h)
初期ミドル領域１０２の先頭アドレス：023573h (DCA8C0h)
データ記録領域１０３の先頭アドレス：022EF5h (DD10A0h)
ＲＭＡ１０５の先頭アドレス：002680h(FD97F0h)
ＩＤＴＡ１０６の末尾アドレス：0021C6h(FDE39Fh)
なお、アドレスの数値は１６進数であり、かっこ内の数値は物理セクタ番号である。【０１１９】
外周領域８１は、ＯＤＴＡ１０１と対応している。すなわち、外周領域８１の外周端はＯＤＴＡ１０１の先頭位置と一致しており、外周領域８１の内周端はＯＤＴＡ１０１の末尾位置と一致している。外周領域８１のサイズは、ＥＣＣブロックアドレスを用いて計算すると443hとなり、物理セクタ番号を用いて計算すると4430hとなる。【０１２０】
また、グルーブ８４は、ＯＤＴＡ１０１内の全域にわたって配置される。また、位置決定ピット８５の配列は、ＯＤＴＡ９１に配置される。また、外周領域８１の最内周部分に形成された位置決定ピット８５の配列は、初期ミドル領域１０２の直前部分に配置される。【０１２１】
内周領域８２は、ＲＭＡ１０５およびＩＤＴＡ１０６と対応している。すなわち、内周領域８２の外周端はＲＭＡ１０５の先頭位置と一致しており、内周領域８２の内周端はＩＤＴＡ１０６の末尾位置と一致している。内周領域８２のサイズは、ＥＣＣブロックアドレスを用いて計算すると4BChとなり、物理セクタ番号を用いて計算すると4BC0hとなる。【０１２２】
また、グルーブ８６は、ＲＭＡ１０５およびＩＤＴＡ１０６内の全域にわたって配置される。また、オーバーラン防止ピット８７の配列は、ＲＭＡ１０５およびＩＤＴＡ１０６のいずれか一方または双方に配置される。また、内周領域８２の最外周部分に形成されたオーバーラン防止ピット８７の配列は、データ記録領域１０３の直後部分に配置される。【０１２３】
中間領域８３は、初期ミドル領域１０２、データ記録領域１０３および初期リードアウト領域１０４と対応している。すなわち、中間領域８３の外周端は初期ミドル領域１０２の先頭位置と一致しており、中間領域８３の内周端は初期リードアウト領域１０４の末尾位置と一致している。そして、第２記録層６４の記録面６４Ａにおけるデータ記録開始位置は、中間領域８３の外周端であり、これは初期ミドル領域１０２の先頭位置と一致している。また、グルーブ８８は、初期ミドル領域１０２、データ記録領域１０３および初期リードアウト領域１０４内の全域にわたって配置される。すなわち、初期ミドル領域１０２、データ記録領域１０３および初期リードアウト領域１０４内に形成されたグルーブはすべてストレートグルーブである。【０１２４】
なお、第1記録層６２と第2記録層６４のストレートグルーブ領域（ウォブルもＬＰＰもない領域）を等しくさせるために、初期ミドル領域１０２に位置決定ピットを配置してもよい。この場合には、外周領域８１は、ＯＤＴＡ１０１と初期ミドルエリア１０２とを含む領域（つまりＯＤＴＡ１０１の先頭位置から初期ミドル領域１０２の末尾位置までの領域）となる。【０１２５】
以上説明したとおり、記録ディスク６０によれば、レコーダ２を用いてデータを記録ディスク６０に簡単に記録することができる。したがって、特定のコンテンツデータを記録ディスク６０に記録したコンテンツ商品の少量生産を効率よく実現することができる。【０１２６】
また、記録ディスク６０によれば、ＣＳＳにより暗号化されたデータを記録ディスク６０に記録しても、この記録ディスク６０に記録されたデータを第１世代プレーヤだけでなく、第２世代プレーヤでも再生することが可能になる。したがって、特定のコンテンツデータを記録ディスク６０に記録したコンテンツ商品を、第１世代プレーヤのユーザだけでなく、第２世代プレーヤのユーザに向けても販売することができ、当該コンテンツ商品の売上げを高めることができる。また、記録ディスク６０に記録されたコンテンツデータはＣＳＳで暗号化されているので、著作権保護を図ることができる。【０１２７】
また、記録ディスク６０の内周領域７１および外周領域８１には、位置決めピット７５、８５が形成されている。これら位置決定ピット７５、８５によりデータ記録開始位置をレコーダ２に認識させることができる。したがって、レコーダ２は、ディスクアットワンス方式によりデータの記録ディスク６０への記録処理を行うことが可能になる。【０１２８】
また、記録ディスク６０の外周領域７２および内周領域８２には、オーバーラン防止ピット７７、８７が形成されている。これらオーバーラン防止ピット７７、８７によりデータ記録不能位置の接近をレコーダ２に認識させることができる。したがって、レコーダ２の光ビームがオーバーランをし、データ記録不能位置でレコーダ２がデータ記録処理を行ってしまうことを防止することができる。【０１２９】
なお、図８ないし図１１に示す記録ディスク１の変形例は、記録ディスク６０にも適用することができる。【０１３０】
（レコーダ）
図１５は、図１中のレコーダ２の内部構造を示している。【０１３１】
レコーダ２は、記録ディスク１および記録ディスク６０にデータを記録するためのレコーダである。レコーダ２は次のようないくつかの機能を備えている。【０１３２】
第１に、レコーダ２は、記録ディスク１の内周領域２１に形成された位置決定ピット３３を読み取り、これら位置決定ピット３３に基づいて、記録ディスク１におけるデータ記録開始位置を決定する機能を備えている。【０１３３】
第２に、レコーダ２は、記録ディスク１の外周領域２２に形成されたオーバーラン防止ピット３６を読み取り、これらオーバーラン防止ピット３６に基づいて、記録ディスク１におけるデータ記録不能位置の接近を認識し、光ビームのオーバーランを防止する機能を備えている。【０１３４】
第３に、レコーダ２は、記録ディスク１の中間領域２３に形成されたストレートグルーブ３７の案内に従って、データをこのグルーブ３７上に記録する機能を有する。レコーダ２が採用している、データ記録に関する物理フォーマットは、ＤＶＤ−Ｒが採用しているものと同じである。また、レコーダ２が採用しているデータ記録方式は、ディスクアットワンス方式である。【０１３５】
第４に、レコーダ２は、記録ディスク６０の内周領域７１および外周領域８１のそれぞれに形成された位置決定ピット７５、８５を読み取り、これら位置決定ピット７５、８５に基づいて、記録ディスク６０の記録面６２Ａおよび記録面６４Ａのそれぞれにおけるデータ記録開始位置を決定する機能を備えている。【０１３６】
第５に、レコーダ２は、記録ディスク６０の外周領域７２および内周領域８２のそれぞれに形成されたオーバーラン防止ピット７７、８７を読み取り、これらオーバーラン防止ピット７７、８７に基づいて、記録ディスク６０の第１記録層６２および第２記録層６４のそれぞれにおけるデータ記録不能位置の接近を認識し、光ビームのオーバーランを防止する機能を備えている。【０１３７】
第６に、レコーダ２は、記録ディスク６０の中間領域７３、８３のそれぞれに形成されたストレートグルーブ７８、８８の案内に従い、データをこれらグルーブ７８、８８上にそれぞれ記録する機能を有する。【０１３８】
図１５に示すように、レコーダ２は、光ピックアップ２０１、移動モータ２０２、スピンドルモータ２０３、光ビーム制御回路２０４、読み取り信号処理回路２０５、アクチュエータ駆動制御回路２０６、位置検出部２０７、記録開始位置決定部２０８、記録不能判断部２０９、データエンコード回路２１０および総合制御部２１１を備えている。【０１３９】
光ピックアップ２０１は、記録ディスク１の記録面１２Ａまたは記録ディスク６０の記録面６２Ａ、６４Ａに光ビームを照射し、これにより記録面１２Ａ、６２Ａ、６４Ａにデータを記録する。また、光ピックアップ２０１は、記録面１２Ａ、６２Ａまたは６４Ａから戻ってくる光ビームの反射光を検出し、この反射光に対応する検出信号を生成する。この検出信号は読み取り信号処理回路２０５に供給される。【０１４０】
移動モータ２０２は、光ピックアップ２０１を記録ディスク１または記録ディスク６０の半径方向に移動させる。【０１４１】
スピンドルモータ２０３は、記録ディスク１または記録ディスク６０を回転させる。【０１４２】
光ビーム制御回路２０４は、データエンコード回路２１０から供給されたデータ信号に基づいて光ビームを変調させるための光ビーム駆動信号を生成する。光ビーム駆動信号は光ピックアップ２０１に供給される。これにより、光ピックアップ２０１は、光ビーム駆動信号に基づいて変調された光ビームを照射する。【０１４３】
読み取り信号処理回路２０５は、光ピックアップ２０１から出力された検出信号に基づいて、読み取り信号およびトラッキングエラー信号を生成する。読み取り信号には、位置決定ピット３３、７５、８５の配列またはオーバーラン防止ピット３６、７７、８７の配列により表現されたアドレスデータに対応する成分が含まれている。トラッキングエラー信号には、グルーブ３７、７８または８８に対する光ビームの偏倚を示す成分が含まれている。読み取り信号は記録開始位置決定部２０８および記録不能判断部２０９にそれぞれ供給され、トラッキングエラー信号はアクチュエータ駆動制御回路２０６に供給される。【０１４４】
アクチュエータ駆動制御回路２０６は、移動モータ２０２およびスピンドルモータ２０３の駆動を制御する。【０１４５】
すなわち、アクチュエータ駆動制御回路２０６は、トラッキングエラー信号に基づいて、移動モータ２０２の駆動を制御する。これにより、アクチュエータ駆動制御回路２０６は、光ビームがグルーブ３７、７８または８８に追従するように光ピックアップ２０１を移動させる。【０１４６】
また、アクチュエータ駆動制御回路２０６は、位置検出部２０７から供給された回転速度制御信号に基づいて、スピンドルモータ２０３の駆動を制御する。回転速度制御信号は、記録ディスク１または６０の半径方向における光ピックアップ２０１の位置に応じて記録ディスク１または６０の回転速度を変化させるための信号である。アクチュエータ駆動制御回路２０６は、回転速度制御信号に基づいてスピンドルモータ２０３の回転速度を変化させることにより、ＣＬＶ（Constant Linear Velocity）方式による記録ディスク１または６０の回転制御を行う。【０１４７】
位置検出部２０７は、記録ディスク１または６０の半径方向における光ピックアップ２０１の位置を検出し、この検出結果に基づいて回転速度制御信号を生成する。回転速度制御信号は、アクチュエータ駆動制御回路２０６に供給される。【０１４８】
記録開始位置決定部２０８は、読み取り信号処理回路２０５から供給された読み取り信号に基づいて、記録ディスク１または６０におけるデータ記録開始位置を決定する。すなわち、記録開始位置決定部２０８は、位置決定ピット３３、７５または８５の配列により表現されたアドレスデータに対応する成分を読み取り信号から抽出し、この成分に基づいて記録面１２Ａ、６２Ａまたは６４Ａ上のアドレスを認識し、このアドレスに基づいてデータ記録開始位置を決定する。【０１４９】
記録不能判断部２０９は、読み取り信号処理回路２０５から供給された読み取り信号に基づいて、記録ディスク１または６０におけるデータ記録不能位置が接近しているか否かを判断する。すなわち、記録不能判断部２０９は、オーバーラン防止ピット３６、７７または８７の配列により表現されたアドレスデータに対応する成分を読み取り信号から抽出し、この成分に基づいて記録面１２Ａ、６２Ａまたは６４Ａ上のアドレスを認識し、このアドレスに基づいてデータ記録不能位置が接近しているか否かを判断する。【０１５０】
データエンコード回路２１０は、記録ディスク１または６０に記録すべきデータを外部から受け取り、このデータをＣＳＳ暗号化方式によりエンコードし、エンコードされたデータをデータ信号として光ビーム制御回路２０４に供給する。【０１５１】
なお、記録ディスク１に記録すべきデータには、データ記録領域４４に記録すべきデータだけでなく、リードイン領域４３に記録すべきデータおよびリードアウト領域に記録すべきデータも予め含まれている。そして、リードイン領域４３に記録すべきデータ、データ記録領域４４に記録すべきデータおよびリードアウト領域に記録すべきデータが連続的に配列されたデータ列が、データエンコード回路２１０に入力される。また、記録ディスク６０に記録すべきデータについても同様に、リードイン領域９３に記録すべきデータ、データ記録領域９４に記録すべきデータ、第１記録層６２のミドル領域に記録すべきデータ、第２記録層６４のミドル領域に記録すべきデータ、データ記録領域１０３に記録すべきデータおよびリードアウト領域に記録すべきデータが連続的に配列されたデータ列が、データエンコード回路２１０に入力される。【０１５２】
総合制御部２１１は、レコーダ２の各構成要素２０１ないし２１０を制御する。すなわち、総合制御部２１１は、記録ディスク１または６０のグルーブ３７、７８または８８による案内に従って、記録開始位置決定部２０８により決定されたデータ記録開始位置からデータの記録を行うように、各構成要素２０１ないし２１０を制御する。【０１５３】
位置検出部２０７、記録開始位置決定部２０８、記録不能判断部２０９、総合制御部２１１は、例えばＣＰＵ（Central Processing Unit）、ＲＯＭ（Read-Only Memory）およびＲＡＭ（Random-Access Memory）などにより構成されている。【０１５４】
図１６は、レコーダ２による記録ディスク１に対するデータ記録の具体例を示している。【０１５５】
図１６に示すように、レコーダ２は、まず、記録ディスク１の内周領域２１に光ビームを照射し、位置決定ピット３３を読み取り、この位置決定ピット３３に基づいてデータ記録開始位置を決定する。【０１５６】
続いて、レコーダ２は、データ記録開始位置からデータの記録を開始する。レコーダ２は、まず、リードイン領域４３に記録すべきデータを記録し、続いて、データ記録領域４４に記録すべきデータを記録し、続いて、リードアウト領域に記録すべきデータを記録する。【０１５７】
記録ディスク１に記録すべきデータのサイズがリードイン領域４３のサイズとデータ記録領域４４のサイズとの合計よりも小さいときには、データの記録はデータ記録領域４４の途中で終了する。これにより、初期リードアウト領域４５よりも内周側に新たなリードアウト領域４７が形成される。【０１５８】
また、記録ディスク１に記録すべきデータのサイズがリードイン領域４３のサイズとデータ記録領域４４のサイズとの合計よりも小さいときには、オーバーラン防止ピット３６の読み取りは行われない。【０１５９】
図１７は、レコーダ２による記録ディスク１に対するデータ記録の他の具体例を示している。【０１６０】
図１７に示すように、レコーダ２は、記録ディスク１の内周領域２１に光ビームを照射し、位置決定ピット３３を読み取り、この位置決定ピット３３に基づいてデータ記録開始位置を決定する。【０１６１】
続いて、レコーダ２は、データ記録開始位置からデータの記録を開始する。レコーダ２は、まず、リードイン領域４３に記録すべきデータを記録し、続いて、データ記録領域４４に記録すべきデータを記録し、続いて、リードアウト領域に記録すべきデータを記録する。【０１６２】
記録ディスク１に記録すべきデータのサイズがリードイン領域４３のサイズとデータ記録領域４４のサイズとの合計よりも大きいときには、データ記録領域４４の全域にデータが記録されてもまだデータの記録が続く。そして、光ビームが外周領域２２に進入したとき、レコーダ２によりオーバーラン防止ピット３６が読み取られる。【０１６３】
レコーダ２は、オーバーラン防止ピット３６に基づいて、データ記録不能位置が接近していると判断する。続いて、レコーダ２は、記録面１２Ａの残りの領域のサイズＸと残りのデータ４８のサイズとを比較し、残りのデータ４８のすべてを残りの領域に記録することができるか否かを判断する。【０１６４】
残りのデータ４８のすべてを残りの領域に記録することができるときには、レコーダ２は、当該残りのデータ４８を当該残りの領域に記録する。なお、この場合、初期リードアウト領域４５よりも外周側に新たなリードアウト領域４９が形成される。【０１６５】
一方、残りのデータのすべてを残りの領域に記録することができないときには、レコーダ２はデータの記録を中止する。【０１６６】
図１８は、レコーダ２による記録ディスク６０に対するデータ記録の具体例を示している。【０１６７】
図１８に示すように、レコーダ２は、第１記録層６２の記録面６２Ａにおける内周領域７１に光ビームを照射し、位置決定ピット７５を読み取り、この位置決定ピット７５に基づいて記録面６２Ａにおけるデータ記録開始位置を決定する。【０１６８】
続いて、レコーダ２は、このデータ記録開始位置から、記録面６２Ａに対するデータの記録を開始する。レコーダ２は、まず、リードイン領域９３に記録すべきデータを記録し、続いて、データ記録領域９４に記録すべきデータを記録し、続いて、記録面６２Ａのミドル領域に記録すべきデータを記録する。【０１６９】
記録面６２Ａに記録すべきデータのサイズがリードイン領域９３のサイズとデータ記録領域９４のサイズとの合計よりも小さいときには、記録面６２Ａに対するデータの記録はデータ記録領域９４の途中で終了する。これにより、初期ミドル領域９５よりも内周側に新たなミドル領域９７が形成される。【０１７０】
なお、記録面６２Ａに記録すべきデータのサイズがリードイン領域９３のサイズとデータ記録領域９４のサイズとの合計よりも小さいときには、オーバーラン防止ピット７７の読み取りは行われない。【０１７１】
続いて、レコーダ２はその場所でレイヤージャンプを行い、データを記録すべき記録層を第１記録層６２から第２記録層６４に変更する。そして、レコーダ２は、第２記録層６４の記録面６４Ａにおいて、第１記録層６２のミドル領域９７の末尾位置にほぼ対応する位置から、記録面６４Ａに対するデータの記録を開始する。レコーダ２は、まず、記録面６４Ａのミドル領域に記録すべきデータを記録する。これにより、初期ミドル領域１０２よりも内周側に新たなミドル領域９８が形成される。続いて、レコーダ２は、データ記録領域１０３に記録すべきデータを記録し、続いて、リードアウト領域に記録すべきデータを記録する。これにより、記録面６４Ａには新たなリードアウト領域９９が形成される。【０１７２】
なお、記録面６４Ａに記録すべきデータのサイズが、記録面６４Ａにおけるデータ記録開始位置から初期リードアウト領域１０４の末尾位置までのサイズよりも小さいときには、オーバーラン防止ピット８７の読み取りは行われない。【０１７３】
図１９は、レコーダ２による記録ディスク６０に対するデータ記録の他の具体例を示している。【０１７４】
図１９に示すように、レコーダ２は、第１記録層６２の記録面６２Ａにおける内周領域７１に光ビームを照射し、位置決定ピット７５を読み取り、この位置決定ピット７５に基づいて記録面６２Ａにおけるデータ記録開始位置を決定する。【０１７５】
続いて、レコーダ２は、このデータ記録開始位置から、記録面６２Ａに対するデータの記録を開始する。レコーダ２は、まず、リードイン領域９３に記録すべきデータを記録し、続いて、データ記録領域９４に記録すべきデータを記録し、続いて、記録面６２Ａのミドル領域に記録すべきデータを記録する。【０１７６】
記録面６２Ａに記録すべきデータのサイズがリードイン領域９３のサイズとデータ記録領域９４のサイズとの合計よりも大きいときには、データ記録領域９４の全域にデータが記録されてもまだデータの記録が続く。そして、光ビームが外周領域７２に進入したとき、レコーダ２によりオーバーラン防止ピット７７が読み取られる。【０１７７】
レコーダ２は、オーバーラン防止ピット７７に基づいて、データ記録不能位置が接近していると判断する。続いて、レコーダ２は、記録面６２Ａの残りの領域のサイズＹと残りのデータ１０７のサイズとを比較し、残りのデータ１０７のすべてを記録面６２Ａの残りの領域に記録することができるか否かを判断する。【０１７８】
残りのデータ１０７のすべてを記録面６２Ａの残りの領域に記録することができるときには、当該残りのデータ１０７を当該残りの領域に記録する。これにより、初期ミドル領域９５よりも外周側に新たなミドル領域１０８が形成される。【０１７９】
続いて、レコーダ２はデータを記録すべき記録層を第１記録層６２から第２記録層６４に変更する。【０１８０】
続いて、レコーダ２は、第２記録層６４の記録面６４Ａにおける外周領域８１に形成された位置決定ピット８５を読み取り、この位置決定ピット８５に基づいて記録面６４Ａにおけるデータ記録開始位置を決定する。【０１８１】
続いて、レコーダ２は、このデータ記録開始位置から、記録面６４Ａに対するデータの記録を開始する。レコーダ２は、まず、記録面６４Ａのミドル領域に記録すべきデータを初期ミドル領域１０２に記録する。続いて、レコーダ２は、データ記録領域１０３に記録すべきデータを記録し、続いて、リードアウト領域に記録すべきデータを記録する。【０１８２】
記録面６４Ａに記録すべきデータのサイズが初期ミドル領域１０２のサイズ、データ記録領域１０３のサイズおよび初期リードアウト領域１０４のサイズの合計よりも大きいときには、これらの領域１０２、１０３および１０４の全域にデータが記録されてもまだデータの記録が続く。そして、光ビームが内周領域８２に進入したとき、レコーダ２によりオーバーラン防止ピット８７が読み取られる。【０１８３】
レコーダ２は、オーバーラン防止ピット８７に基づいて、データ記録不能位置が接近していると判断する。続いて、レコーダ２は、記録面６４Ａの残りの領域のサイズＺと残りのデータ１０９のサイズとを比較し、残りのデータ１０９のすべてを記録面６４Ａの残りの領域に記録することができるか否かを判断する。【０１８４】
残りのデータ１０９のすべてを記録面６４Ａの残りの領域に記録することができるときには、当該残りのデータ１０９を当該残りの領域に記録する。これにより、初期リードアウト領域１０４よりも外周側に新たなリードアウト領域１１０が形成される。【０１８５】
一方、残りのデータ１０９のすべてを記録面６４Ａの残りの領域に記録することができないときには、レコーダ２はデータの記録を中止する。また、第１記録層６２の記録面６２Ａに対してデータを記録しているときに、残りのデータ１０７のすべてを記録面６２Ａの残りの領域に記録することができないときにも、レコーダ２はデータの記録を中止する。【０１８６】
図２０は、レコーダ２における記録ディスク１に対するデータ記録処理の流れを示している。【０１８７】
コンテンツ商品の作成者が、記録ディスク１をレコーダ２に装着し、記録ディスク１に記録すべきデータをレコーダ２に入力し、レコーダ２の操作スイッチを操作して、このデータの記録ディスク１への記録を開始すべき旨の指示をレコーダ２に入力すると、図２０に示すデータ記録処理が始まる。【０１８８】
まず、レコーダ２の総合制御部２１１が、光ビームのパワーを設定する（ステップＳ１）。具体的には、総合制御部２１１は、光ビームをＩＤＴＡ４１およびＯＤＴＡ４６に順次に照射し、データの記録を行うのに最適な光ビームのパワーを設定する。【０１８９】
続いて、総合制御部２１１は、記録ディスク１の内周領域２１に光ビームを照射し、内周領域２１をサーチし、位置決定ピット３３を読み取る。そして、記録開始位置決定部２０８が、位置決定ピット３３に基づいてデータ記録開始位置を決定する（ステップＳ２）。【０１９０】
続いて、総合制御部２１１は、データ記録開始位置からデータの記録を開始する（ステップＳ３、Ｓ４）。【０１９１】
続いて、総合制御部２１１は、すべてのデータが記録ディスク１に記録されたか否かを判断する（ステップＳ５）。すべてのデータが記録ディスク１に記録されたときには（ステップＳ５：ＹＥＳ）、総合制御部２１１はデータ記録処理を終了する。【０１９２】
一方、すべてのデータが記録ディスク１に記録されていないときには（ステップＳ５：ＮＯ）、続いて、データ記録不能位置が接近しているか否かを記録不能判断部２０９が判断する（ステップＳ６）。すなわち、記録不能判断部２０９は、記録ディスク１の外周領域２２に形成されたオーバーラン防止ピット３６が読み取られたか否かを判断し、これによりデータ記録不能位置が接近しているか否かを判断する。【０１９３】
オーバーラン防止ピット３６が読み取られず、これによりデータ記録不能位置がまだ接近していないと判断されたときには（ステップＳ６：ＮＯ）、総合制御部２１１はデータの記録を継続する（ステップＳ４）。【０１９４】
一方、オーバーラン防止ピット３６が読み取られ、これによりデータ記録不能位置が接近していると判断されたときには（ステップＳ６：ＹＥＳ）、総合制御部２１１は、記録面１２Ａの残りの領域のサイズと残りのデータのサイズとを比較する（ステップＳ７）。そして、総合制御部２１１は、残りのデータのすべてを記録面１２Ａの残りの領域に記録することができるか否かを判断する（ステップＳ８）。【０１９５】
残りのデータのすべてを記録面１２Ａの残りの領域に記録することができるときには（ステップＳ８：ＹＥＳ）、総合制御部２１１は、当該残りのデータの記録を完了するまで記録を継続する（ステップＳ４）。そして、当該残りのデータの記録が完了した後、データ記録処理は終了する。【０１９６】
一方、残りのデータのすべてを記録面１２Ａの残りの領域に記録することができないときには（ステップＳ８：ＮＯ）、総合制御部２１１は、記録中止処理を行う（ステップＳ９）。これにより、記録ディスク１に対するデータ記録処理は中止される。【０１９７】
図２１は、レコーダ２における記録ディスク６０に対する記録処理の流れを示している。【０１９８】
コンテンツ商品の作成者が、記録ディスク６０をレコーダ２に装着し、記録ディスク６０に記録すべきデータをレコーダ２に入力し、レコーダ２の操作スイッチを操作して、このデータの記録ディスク６０への記録を開始すべき旨の指示をレコーダ２に入力すると、図２１に示すデータ記録処理が始まる。【０１９９】
まず、レコーダ２の総合制御部２１１が、光ビームのパワーを設定する（ステップＳ１１）。【０２００】
続いて、総合制御部２１１は、第１記録層６２の記録面６２Ａにおける内周領域７１に光ビームを照射し、内周領域７１をサーチし、位置決定ピット７５を読み取る。そして、記録開始位置決定部２０８が、位置決定ピット７５に基づいて記録面６２Ａにおけるデータ記録開始位置を決定する（ステップＳ１２）。【０２０１】
続いて、総合制御部２１１は、このデータ記録開始位置からデータの記録を開始する（ステップＳ１３、Ｓ１４）。【０２０２】
続いて、総合制御部２１１は、記録面６２Ａに記録すべきすべてのデータが記録面６２Ａに記録されたか否かを判断する（ステップＳ１５）。【０２０３】
記録面６２Ａに記録すべきすべてのデータが記録面６２Ａに記録されていないときには（ステップＳ１５：ＮＯ）、続いて、データ記録不能位置が接近しているか否かを記録不能判断部２０９が判断する（ステップＳ１６）。すなわち、記録不能判断部２０９は、記録面６２Ａの外周領域７２に形成されたオーバーラン防止ピット７７が読み取られたか否かを判断し、これによりデータ記録不能位置が接近しているか否かを判断する。【０２０４】
オーバーラン防止ピット７７が読み取られず、これによりデータ記録不能位置がまだ接近していないと判断されたときには（ステップＳ１６：ＮＯ）、総合制御部２１１は記録面６２Ａに対するデータの記録を継続する（ステップＳ１４）。【０２０５】
一方、オーバーラン防止ピット７７が読み取られ、これによりデータ記録不能位置が接近していると判断されたときには（ステップＳ１６：ＹＥＳ）、総合制御部２１１は、記録面６２Ａの残りの領域のサイズと、記録面６２Ａに記録すべき残りのデータのサイズとを比較する（ステップＳ１７）。そして、総合制御部２１１は、記録面６２Ａに記録すべき残りのデータのすべてを記録面６２Ａの残りの領域に記録することができるか否かを判断する（ステップＳ１８）。【０２０６】
記録面６２Ａに記録すべき残りのデータのすべてを記録面６２Ａの残りの領域に記録することができないときには（ステップＳ１８：ＮＯ）、総合制御部２１１は、記録中止処理を行う（ステップＳ１９）。これにより、記録ディスク６０に対するデータ記録処理は中止される。【０２０７】
一方、記録面６２Ａに記録すべき残りのデータのすべてを記録面６２Ａの残りの領域に記録することができるときには（ステップＳ１８：ＹＥＳ）、総合制御部２１１は、当該残りのデータの記録を完了するまで記録を継続する（ステップＳ１４）。そして、記録面６２Ａに記録すべきすべてのデータが記録面６２Ａに記録されたときには（ステップＳ１５：ＹＥＳ）、総合制御部２１１は、レイヤージャンプを行い、データの記録を行うべき記録層を、第１記録層６２から第２記録層６４へ変更する（ステップＳ２０）。そして、総合制御部２１１は、第２記録層６４の記録面６４Ａに対しデータの記録を開始する（ステップＳ２１、Ｓ２２）。【０２０８】
続いて、総合制御部２１１は、記録面６４Ａに記録すべきすべてのデータが記録面６４Ａに記録されたか否かを判断する（ステップＳ２３）。【０２０９】
記録面６４Ａに記録すべきすべてのデータが記録面６４Ａに記録されていないときには（ステップＳ２３：ＮＯ）、続いて、データ記録不能位置が接近しているか否かを記録不能判断部２０９が判断する（ステップＳ２４）。すなわち、記録不能判断部２０９は、記録面６４Ａの内周領域８２に形成されたオーバーラン防止ピット８７が読み取られたか否かを判断し、これによりデータ記録不能位置が接近しているか否かを判断する。【０２１０】
オーバーラン防止ピット８７が読み取られず、これによりデータ記録不能位置がまだ接近していないと判断されたときには（ステップＳ２４：ＮＯ）、総合制御部２１１は記録面６４Ａに対するデータの記録を継続する（ステップＳ２２）。【０２１１】
一方、オーバーラン防止ピット８７が読み取られ、これによりデータ記録不能位置が接近していると判断されたときには（ステップＳ２４：ＹＥＳ）、総合制御部２１１は、記録面６４Ａの残りの領域のサイズと、記録面６４Ａに記録すべき残りのデータのサイズとを比較する（ステップＳ２５）。そして、総合制御部２１１は、記録面６４Ａに記録すべき残りのデータのすべてを記録面６４Ａの残りの領域に記録することができるか否かを判断する（ステップＳ２６）。【０２１２】
記録面６４Ａに記録すべき残りのデータのすべてを記録面６４Ａの残りの領域に記録することができないときには（ステップＳ２６：ＮＯ）、総合制御部２１１は、記録中止処理を行う（ステップＳ２７）。これにより、記録ディスク６０に対するデータ記録処理は中止される。【０２１３】
一方、記録面６４Ａに記録すべき残りのデータのすべてを記録面６４Ａの残りの領域に記録することができるときには（ステップＳ２６：ＹＥＳ）、総合制御部２１１は、当該残りのデータの記録を完了するまで記録を継続する（ステップＳ２２）。そして、記録面６４Ａに記録すべきすべてのデータが記録面６４Ａに記録されたときには（ステップＳ２３：ＹＥＳ）、総合制御部２１１は、記録ディスク６０に対するデータ記録処理を終了する。【０２１４】
以上説明したとおり、レコーダ２によれば、記録ディスク１または記録ディスク６０にデータを記録することができる。すなわち、記録ディスク１の位置決定ピット３３およびオーバーラン防止ピット３６に基づいてデータ記録処理を行い、これにより記録ディスク１のストレートグルーブ３７上にデータを記録することができる。また、記録ディスク６０の位置決定ピット７５、８５およびオーバーラン防止ピット７７、８７に基づいてデータ記録処理を行うことにより、ストレートグルーブ７８、８８上にデータを記録することができる。【０２１５】
また、レコーダ２によれば、記録ディスク１または記録ディスク６０へのデータの記録を簡単に行うことができる。これにより、特定のコンテンツデータを記録ディスク１または記録ディスク６０に記録したコンテンツ商品の少量生産を効率よく実現することができる。【０２１６】
なお、上述した記録ディスク１のオーバーラン防止ピット３６の配列は、記録面１２Ａ上のアドレスを示すデータのビット配列に対応している。しかし、本発明はこれに限られない。オーバーラン防止ピット３６は、記録面１２Ａ上のアドレスを示すデータのビット配列に対応していなくてもよい。例えば、オーバーラン防止ピット３６は、単一のピットでもよい。単一ピットでも、データ記録不能位置の接近をレコーダ２に認識させることができる。もっとも、オーバーラン防止ピット３６の配列をアドレスデータビット配列に対応させることにより、レコーダ２にデータ記録不能位置の接近を単に認識させるだけでなく、データ記録不能位置の近傍における記録面１２Ａ上のアドレスをも認識させることができる。そして、レコーダ２はこのアドレスに基づいて記録面１２Ａにおける残りの領域のサイズを容易に計算することができる。記録ディスク６０のオーバーラン防止ピット７７、８７についても同様である。【０２１７】
また、図８または図１１中のウォブル５２Ａの周期の変化は記録面１２Ａ上のアドレスを示すデータのビット配列に対応している。しかし、ウォブル５２Ａの周期を一定にしてもよい。【０２１８】
また、上述した記録ディスク１のオーバーラン防止ピット３６は、データ記録不能位置の接近をレコーダ２に認識させる。しかし、本発明はこれに限られない。オーバーラン防止ピットにより、データ記録不能位置の到来をレコーダ２に認識させてもよい。この場合には、オーバーラン防止ピットをデータ記録不能位置の直前に配置する。記録ディスク６０のオーバーラン防止ピット７７、８７についても同様である。【０２１９】
また、上述した記録ディスク１および記録ディスク６０は、グルーブおよびＬＰＰの構造を除き、ＤＶＤ−Ｒの構造とほぼ同じ構造である。しかし、本発明はこれに限られない。本発明の記録ディスクは、グルーブおよびＬＰＰの構造を除き、ＤＶＤ−ＲＷの構造とほぼ同じ構造を採用することもできる。この場合、記録層は相変化材料により形成される。【０２２０】
また、記録ディスク１において、中間領域２３の内周縁と記録層１２の内周縁との間の距離は0.4ｍｍ以上0.7ｍｍ以下の範囲で調整してもよい。また、中間領域２３の外周縁と記録層１２の外周縁との間の距離は0.3ｍｍ以上0.6ｍｍ以下の範囲で調整してもよい。【０２２１】
また、記録ディスク６０において、中間領域７３の内周縁と第１記録層６２の内周縁との間の距離は0.4ｍｍ以上0.7ｍｍ以下の範囲で調整してもよい。また、中間領域７３の外周縁と第１記録層６２の外周縁との間の距離は0.3ｍｍ以上0.6ｍｍ以下の範囲で調整してもよい。【０２２２】
また、記録ディスク６０において、中間領域８３の内周縁と第２記録層６４の内周縁との間の距離は0.4ｍｍ以上0.7ｍｍ以下の範囲で調整してもよい。また、中間領域８３の外周縁と第２記録層６４の外周縁との間の距離は0.3ｍｍ以上0.6ｍｍ以下の範囲で調整してもよい。【０２２３】
また、図７中のグルーブ３１および位置決定ピット３３は第１凹部の具体例であり、グルーブ３４およびオーバーラン防止ピット３６は第２凹部の具体例である。【０２２４】
また、図１４中のグルーブ７４および位置決定ピット７５は第１凹部の具体例であり、グルーブ７６およびオーバーラン防止ピット７７は第２凹部の具体例であり、グルーブ８４および位置決定ピット８５は第３凹部の具体例であり、グルーブ８６および位置決定ピット８７は第４凹部の具体例である。【０２２５】
また、図１５中の光ピックアップ２０１、移動モータ２０２、スピンドルモータ２０３、位置検出部２０７、アクチュエータ駆動制御回路２０６および総合制御部２１１は記録手段の具体例であり、記録開始位置決定部２０８は記録開始位置決定手段の具体例であり、記録不能判断部２０９は記録不能判断手段の具体例であり、移動モータ２０２は移動機構の具体例であり、スピンドルモータ２０３は回転機構の具体例であり、位置検出部２０７は位置検出手段の具体例であり、アクチュエータ駆動制御回路２０６は回転速度制御手段の具体例である。【０２２６】
また、図２０中のステップＳ２は記録開始位置決定工程の具体例であり、ステップＳ３およびＳ４は記録工程の具体例であり、ステップＳ６は記録不能判断工程の具体例である。【０２２７】
また、図２１中のステップＳ１２は記録開始位置決定工程の具体例であり、ステップＳ１３およびＳ１４は記録工程の具体例であり、ステップＳ１６は記録不能判断工程の具体例である。また、ステップＳ２１およびＳ２２は記録工程の具体例であり、ステップＳ２４は記録不能判断工程の具体例である。【０２２８】
また、レコーダ２の記録開始位置決定部２０８によるデータ記録開始位置決定（図２０中のステップＳ２または図２１中のステップＳ１２）が情報記録開始位置決定動作の具体例であり、記録不能位置判断部２０９および総合制御部２１１による記録中止処理（図２０中のステップＳ６ないしＳ９、図２１中のステップＳ１６ないしＳ１９、またはステップＳ２４ないしＳ２７）が情報記録終了動作の具体例である。【０２２９】
また、本発明の情報記録方法は、コンピュータプログラムによっても実現することができる。この場合には、図２０に示すデータ記録処理または図２１に示すデータ記録処理の各ステップを実現するための指令などを記述したコンピュータプログラムを作成する。そして、このコンピュータプログラムを情報記録媒体に記録し、コンピュータプログラム製品として販売する。また、このコンピュータプログラムをインターネットなどのコンピュータネットワークを通じてダウンロード可能としてもよい。ユーザは、情報記録媒体またはコンピュータネットワークなどを介してコンピュータプロラムを入手し、これをコンピュータに読み込ませる。これにより、コンピュータは、ＣＰＵ、主記憶装置およびＤＶＤドライブ装置など、コンピュータに通常備えられている資源を利用し、図２０または図２１に示すデータ記録処理を行うことが可能になる。【０２３０】
また、本発明の情報記録方法は、コンピュータプログラムによっても実現することができる。この場合には、図２０に示すデータ記録処理または図２１に示すデータ記録処理の各ステップを実現するための指令などを記述したコンピュータプログラムを作成する。そして、このコンピュータプログラムを情報記録媒体に記録し、コンピュータプログラム製品として販売する。また、このコンピュータプログラムをインターネットなどのコンピュータネットワークを通じてダウンロード可能としてもよい。ユーザは、情報記録媒体またはコンピュータネットワークなどを介してコンピュータプロラムを入手し、これをコンピュータに読み込ませる。これにより、コンピュータは、ＣＰＵ、主記憶装置およびＤＶＤドライブ装置など、コンピュータに通常備えられている資源を利用し、図２０または図２１に示すデータ記録処理を行うことが可能になる。【０２３１】
また、本発明は、請求の範囲および明細書全体から読み取るこのできる発明の要旨または思想に反しない範囲で適宜変更可能であり、そのような変更を伴う情報記録媒体、情報記録装置、情報記録方法およびコンピュータプログラムもまた本発明の技術思想に含まれる。
【産業上の利用の可能性】
【０２３２】
本発明は、ＤＶＤ、ＤＶＤレコーダなどの製品の製造、提供および使用に利用することができる。
【図１】
0004810572.tif 000002
【図２】
0004810572.tif 000003
【図３】
0004810572.tif 000004
【図４】
0004810572.tif 000005
【図５】
0004810572.tif 000006
【図６】
0004810572.tif 000007
【図７】
0004810572.tif 000008
【図８】
0004810572.tif 000009
【図９】
0004810572.tif 000010
【図１０】
0004810572.tif 000011
【図１１】
0004810572.tif 000012
【図１２】
0004810572.tif 000013
【図１３】
0004810572.tif 000014
【図１４】
0004810572.tif 000015
【図１５】
0004810572.tif 000016
【図１６】
0004810572.tif 000017
【図１７】
0004810572.tif 000018
【図１８】
0004810572.tif 000019
【図１９】
0004810572.tif 000020
【図２０】
0004810572.tif 000021
【図２１】
0004810572.tif 000022